Podtech/llm-jp-corpus-v4-ja_patent huggingface dataset:
(57)【要約】      （修正有）【課題】安全紐と引き紐とが絡み合って自動開閉傘の自動開閉の作用が喪失することのない自動開閉傘の安全制御構造を提供する。【解決手段】空の管体１１と、該中空の管体の上端に接続され、かつ傘の上ろくろ４内に設けられる位置決めヘッド１２とによってなるプッシュ管１０内に、長手方向に沿って、仕切り板１３を設けて、該プッシュ管内を左経路１１１と右経路１１２とに分ける。また、ピストン６の上部付近のプッシュ管１０の下端に切り欠き部を形成する。切り欠き部から安全紐８をプッシュ管１０内に通し、傘の引き紐７と、安全紐８とがプッシュ管１０内において異なる経路を通過するようにする。かかる構造によって、プッシュ管内において２本の紐が絡み合うことを防ぐことができ、自動開閉傘の開閉の動作をスムーズに行うことができ、実用性を具えさせることができる。【選択図】図５
0003164395.tif 000002
【実用新案登録請求の範囲】
【請求項１】
中空の管体と、該中空の管体の上端に接続され、かつ傘の上ろくろ内に設けられる位置決めヘッドとによってなるプッシュ管内に、長手方向に沿って、仕切り板を設けて、該プッシュ管内を左経路と右経路とに分けることを特徴とする自動開閉傘の安全制御構造。
【請求項２】
前記プッシュ管の下端に切り欠き部を形成することを特徴とする請求項１に記載の自動開閉傘の安全制御構造。
【考案の詳細な説明】
【技術分野】
【０００１】
この考案は自動開閉傘に関し、特に中棒を推し動かすピストンを内設し、安全紐と引き紐で制御する自動開閉傘の安全制御構造に関する。
【背景技術】
【０００２】
この考案で謂うところの自動開閉傘とは、中棒に安全制御構造を設けた傘を指す。詳しくは、図１に開示するように、ハンドル１内に、逆転防止歯を供える回転板２１と、係止桿２２とによってなる安全制御構造２を設けて中棒３を制御する。
【０００３】
回転板２１には、安全紐８の一端を取り付ける。安全紐８は回転板２１に巻きつけ、かつ中棒３内のプッシュ管１０を通り、上ろくろ８に他端を固定する。
【０００４】
別途、傘の骨の開閉を制御する引き紐７を設ける。引き紐７は一端をピストン６に固定し、プッシュ管１０を通り、上ろくろ４と下ろくろ５の滑車を経て、再度上ろくろ４に至り固定される。
【０００５】
上述する傘の構造は、傘を畳む場合、中棒を押し込む動作に誤動作があれば、係止桿２２と回転板２１の係止の作用と、安全紐８を引っ張る動作とによって、
押し込まれる動作中の中棒を停止させ、圧縮された傘を開く弾性体の弾性で瞬時に弾かれることを防ぐ。よって、自動開閉傘を使用する上で、その開閉の制御について、絶対的な安全性が得られる。
【０００６】
しかしながら、上述する傘の構造においては、プッシュ桿１０内に安全紐８と引き紐７とが同時に存在し、かつこれら二種類の紐は静止した状態ではなく、常に引っ張られたり、復帰したりする動作を行う。このため互いに絡み合い場合がある。このような状況が発生すると、傘の自動開閉の作用が得られなくなる。
【考案の概要】
【考案が解決しようとする課題】
【０００７】
この考案は安全紐と引き紐で制御する自動開閉傘の安全制御構造において、該安全紐と引き紐とが絡み合って自動開閉傘の自動開閉の作用が喪失することのない自動開閉傘の安全制御構造を提供することを課題とする。
【課題を解決するための手段】
【０００８】
そこで、本考案者は従来の技術に見られる欠点にかんがみ鋭意研究を重ねた結果、中空の管体と、該中空の管体の上端に接続され、かつ傘の上ろくろ内に設けられる位置決めヘッドとによってなるプッシュ管内に、長手方向に沿って、仕切り板を設けて、該プッシュ管内を左経路と右経路とに分けた自動開閉傘の安全制御構造によって課題を解決できる点に着眼し、かかる知見に基づいて本考案を完成させた。
【０００９】
以下この考案について説明する。
請求項１に記載する自動開閉傘の安全制御構造は、中空の管体と、該中空の管体の上端に接続され、かつ傘の上ろくろ内に設けられる位置決めヘッドとによってなるプッシュ管内に、長手方向に沿って、仕切り板を設けて、該プッシュ管内を左経路と右経路とに分ける。
【００１０】
上述する構造によれば、該プッシュ管内の左経路と右経路とにそれぞれ引き紐と安全紐とを分けて通すことによって、互いに絡み合うことを防ぐことができる。
【００１１】
請求項２に記載する自動開閉傘の安全制御構造は、請求項１に記載するプッシュ管の下端に切り欠き部を形成する。
【００１２】
上述する構造によれば、該切り欠き部から安全紐を通すことができる。
【図面の簡単な説明】
【００１３】
【図１】引き紐と安全紐とを具えた安全制御構造を有する自動開閉傘の一部断面図である。
【図２】引き紐と安全紐とを具えた安全制御構造を有する自動開閉傘の断面図である。
【図３】この考案におけるプッシュ管の概観を示した斜視図である。
【図４】図３に開示するプッシュ管の断面構造を示した説明図である。
【図５】図３に開示するプッシュ管の実施の形態を示した説明図である。
【考案を実施するための形態】
【００１４】
この考案は、図３から図５に開示するように、自動開閉傘に摺動自在に設けられる、傘の骨部の開閉を行うピストン６を有する安全制御構造の改良である。この考案におけるプッシュ管１０は、中空の管体１１と、該中空の管体１１の上端に接続される位置決めヘッド１２とによってなる。  位置決めヘッド１２は、傘の上ろくろ４内に設けられる。
【００１５】
プッシュ管１０内には、長手方向に沿って、仕切り板１３を設けて、プッシュ管１０内を左経路１１１と右経路１１２とに分ける。また、プッシュ管１０の下端には切り欠き部１１３を形成する。
【００１６】
切り欠き部１１３から安全紐８をプッシュ管１０内に通し、傘の引き紐７と、安全紐８とがプッシュ管１０内において異なる経路を通過するようにする。かかる構造によって、プッシュ管内において２本の紐が絡み合うことを防ぐことができ、自動開閉傘の開閉の動作をスムーズに行うことができ、実用性を具えさせることができる。
【符号の説明】
【００１７】
１            ハンドル
１０        プッシュ管
１１        管体
１１１    左経路
１１２  右経路
１１３    切欠き部
１２        位置決めヘッド
１３        仕切り板
２            安全制御構造
２１        回転板
２２        係止桿
３            中棒
４            上ろくろ
５            下ろくろ
６            ピストン
７            引き紐
８            安全紐
【図１】
0003164395.tif 000003
【図２】
0003164395.tif 000004
【図３】
0003164395.tif 000005
【図４】
0003164395.tif 000006
【図５】
0003164395.tif 000007
(57)【要約】      （修正有）【課題】手の届きにくい場所に現れた害虫の捕獲、駆除を一連の動作で行えるようにし、害虫を確実に駆除する殺虫器具を提供する。【解決手段】殺虫器具は、殺虫ボトル１６ｋが装填可能な開口部１４を設けると共に、その殺虫ボトル１６ｋの噴射口１１を開くトリガー９及び、グリップ１３を備えたガン本体８を形成する。そのガン本体８の前方には伸縮自在とした連結パイプ５、６を連設する。そのパイプ５、６の先にお椀型の捕獲器１をピン３を支点に回動自在に設ける。その御椀型捕獲器１の底部に噴射ノズル１１を設けると共に、その噴射ノズル１１と殺虫ボトル１６ｋの噴射口１１を結ぶ供給ホース４を連結パイプ５、６の中に通す。【選択図】図３
0003164400.tif 000002
【実用新案登録請求の範囲】
【請求項１】
殺虫ボトルが装填可能な開口部を設けると共に、その殺虫ボトルの噴射口を開くトリガー及び、グリップを備えたガン本体を形成し、
そのガン本体の前方には伸縮自在とした連結パイプを連設し、
そのパイプの先にお椀型の捕獲器をピンを支点に回動自在に設け、
その御椀型捕獲器の底部に噴射ノズルを設けると共に、その噴射ノズルと前記殺虫ボトルの噴射口を結ぶ供給ホースを連結パイプの中に通したことを特徴とする殺虫器具    
【考案の詳細な説明】
【技術分野】
【０００１】
本考案は、銃口の先端部に捕獲器を取り付けた、ガンタイプの殺虫器具に関するものである。
【背景技術】
【０００２】
従来技術では、持ち手となる部分が円筒のボトルである為持ちにくく、捕獲器はパイプに固定される為、角度調節が出来ず害虫に対して垂直に振り下ろすしかできない。また、パイプの長さを伸ばすことが出来ないので、天井など手の届かない場所にいる害虫を捕獲することが難しい。以上のことから、ゴキブリ等素早い動きの害虫を捕獲することが困難である。
【先行技術文献】
【特許文献】
【０００３】
【特許文献１】特開平１０−１９１８６１
【考案の概要】
【考案が解決しようとする課題】
【０００４】
本願は、前途の欠点を解決しようとするもので、本体をガンタイプにすることで持ち易く、グリップを握ったままトリガーを引くことが出来、さらに捕獲器の角度や長さ調節が出来る為、今まで手の届きにくい場所に現れた害虫の捕獲、駆除を一連の動作で行え、安心して害虫を駆除することを可能とするものである。
【課題を解決するための手段】
【０００５】
本案殺虫器具は、殺虫ボトルが装填可能な開口部を設けると共に、その殺虫ボトルの噴射口を開くトリガー及び、グリップを備えたガン本体を形成し、そのガン本体の前方には伸縮自在とした連結パイプを連設し、そのパイプの先にお椀型の捕獲器をピンを支点に回動自在に設け、その捕獲器の底部に噴射ノズルを設けると共に、その噴射ノズルと前記殺虫ボトルの噴射口を結ぶ供給ホースを連結パイプの中に通したことにより、問題点を解決している。
【考案の効果】
【０００６】
上途の様に、本考案の捕獲器付殺虫器具は、伸縮パイプの先端部に取り付けたお椀型捕獲器を、害虫の現れた場所に合わせ角度調節が可能であり、またガン本体の前方に連設した伸縮パイプにより、長さの調節も可能になる。以上のことから、害虫からある程度の距離を置きたい場合や、天井などの手の届かない場所にいる害虫に対しても、容易に捕獲することが出来る。またガン本体に備えたグリップと伸縮パイプを両手でしっかりと握ることが出来る為、捕獲器を害虫に向けてより強く正確に振り下ろすことが出来る。そして害虫を捕らえたままの状態で、グリップ前方のトリガーを引くことで、捕獲器に設けた噴射ノズルから薬剤が噴射され、捕らえた害虫に直接吹きかけることが可能になり、害虫が苦手な人でも、取り乱すことなく確実に害虫駆除が出来るようになる。
【図面の簡単な説明】
【０００７】
【図１】本考案の捕獲器付殺虫器具の実施例を示す断面図である。
【図２】本考案捕獲器の平面図。
【図３】本考案の捕獲器付殺虫器具に殺虫ボトルを装着した状態の断面図。
【考案を実施するための形態】
【０００８】
捕獲器付殺虫器具は、伸縮パイプの先端部に取り付けたお椀型捕獲器を、ピンを支点に回動自在である為、角度調節が可能であり、ガン本体の前方に連設した伸縮パイプを引き出すことで長さの調節も可能である。さらにガン本体に殺虫ボトルを装填するための開口部を設けてあり、その開口部に殺虫ボトルを固定するためのツメを設けた。またグリップ及びトリガーも設けられており、トリガーを引くとのボトルヘッドを押し込みボトルの弁が開き薬剤の噴射が行える。引かれたトリガーはスプリングによって元の位置に戻る。また捕獲器の底部には噴射ノズルを搭載し、その噴射ノズルと噴射口を供給ホースによって繋いでいる為、トリガーを引けば噴射された薬剤が供給ホースを通り、噴射ノズルより噴射される。
【実施例】
【０００９】
以下、添付図面に従って一実施例を説明する。８はプラスチック素材にて形成されたガン本体、１４は殺虫ボトルを装填するための開口部で、１５のツメを殺虫ボトルの縁１７ｋに引っ掛けて殺虫ボトル１６ｋを固定し装填する。
【００１０】
お椀型捕獲器１は半透明のゴム素材で形成され、ピン３を支点に回動自在であり、また伸縮パイプ６から前伸縮パイプ５を引き出しロック７で固定することで、本パイプの長さを伸ばすことが出来る。従ってお椀型捕獲器１の向きをとパイプの長さを調節し、害虫の捕獲準備に入る。
【００１１】
ガン本体８には、グリップ１３及び、トリガー９が設けられトリガー９はピン１０を支点に回動し、トリガー９を引くと噴射口１１を押し込み、ボトルの弁１８ｋが開き薬剤の噴射が行える。引かれたトリガー９はスプリング１２によって元の位置に戻る。また捕獲器１の底部には噴射ノズル２を搭載し、その噴射ノズル２と噴射口１１を、供給ホース４によって繋いでいる為、トリガー９を引けば、噴射された薬剤が供給ホース４を通り、噴射ノズル２より噴射される。
【００１２】
本考案の一実施例は上途の如き構成からなるものであるから、害虫からある程度の距離を置きたい場合や、天井などの手の届かない場所にいる害虫に対しても、容易に捕獲行為を行え、また８ガン本体に備えた１３のグリップと６の伸縮後パイプを、両手でしっかりと握ることが出来る為、捕獲器を害虫に向けて、より強く正確に振り下ろすことが可能になり、害虫を捕らえたままの状態で、９トリガーを引ことでお椀型捕獲器に設けた噴射ノズルから薬剤が噴射され、捕らえた害虫に直接吹きかけることが可能になり、害虫が苦手な人でも、取り乱すことなく害虫駆除が出来るようになる。
【符号の説明】
【００１３】
１  御椀型捕獲器
２  噴射ノズル
３  ピン
４  供給ホース
５  伸縮前パイプ
６  伸縮後パイプ
７  ロック
８  ガン本体
９  トリガー
１０ピン
１１噴射口
１２スプリング
１３グリップ
１４開口部
１５ツメ
【図１】
0003164400.tif 000003
【図２】
0003164400.tif 000004
【図３】
0003164400.tif 000005
(57)【要約】      （修正有）【課題】片手に容器を持てば、飲むべき口を容器に触れるだけで、飲むことが出来、飲まないときは容器が転倒しても中の液体がこぼれない容器を提供する。【解決手段】蓋２に液体流出口５を設け、飲み物を飲まないときは、その蓋を閉じ、飲み物が流出しないようにして、飲み物を飲むときは、口の（上部の歯や舌等の）部品によって、蓋の開栓をして、口の中へ飲み物を入れる。その時に、蓋を閉じているときには、液体がこぼれないほど小さな穴で、液体を飲むときには、空気取り入れ穴６を設けていれば、容易に液体を飲むことが出来る。またその穴を、液体を飲まない時に液体がこぼれない状態にしておけば、万全である。【選択図】図１
0003164841.tif 000002
【実用新案登録請求の範囲】
【請求項１】
蓋−２−に液体流出口−５−と空気取り入れ穴−６−を設ける。
口の（上部の歯や舌などの）部品により、栓−４−を、液体流出口−５−から適度の力で押しはなすことの出来る、突起−７−を備えた、栓−４−設けた水密保持板−３−を、液体流出口−５−と、栓−４−とが、平面図上、同一の位置になるように蓋−２−に固定し、蓋−２−を、容器−１−に取り付ける。（［図１］を参照。）
上記の如く施された容器。
【考案の詳細な説明】
【技術分野】
【０００１】  本考案は、飲料を飲む際に、容器さえ持っていれば、手や、口以外の身体の部分で触れることなく、飲料を飲むことが出来るものであり、飲まないときは、容器が転倒しても、中の飲み物がこぼれない容器である。
【背景技術】
【０００２】  ファーストフード店や、事務所、外出先等に於いて、飲料を欲しいときは、食べ物や荷物を持つ等、ほとんどの場合、手が塞がっている。飲料を飲むときは、手に持った荷物を他所に置くか、不便な思いをしながら、手に持ったまま片手で容器の栓を開け、それを飲むことになる。往々にして、容器が手から落ちたりして、飲料がこぼれたり、衣類を汚したりする。
【考案の開示】
【考案が解決しようとする課題】
【０００３】  本考案は、片手に容器を持てれば、飲むべき口を容器に触れるだけで、飲むことが出来、飲まないときは容器が転倒しても中の液体がこぼれない容器である。
【課題を解決するための手段】
【０００４】  それを、図によって説明すれば。
［図１］および［図２］に示すように、蓋−２−に空気取り入れ穴−６−と液体流出口−５−を設ける。水密保持板−３−に設けられた栓−４−に、口の（上部の歯や舌等の）部品で液体流出口−５−から、水密保持板−３−を押し離すことの出来る程度の強さの突起−７−を設けた水密保持板−３−と，蓋−２−とを栓−４−と液体流出口−５−とが平面図上同一の位置になるように固定して、水密の効果が出る様にする。
液体流出口−５−と栓−４−は、ただ栓−４−が液体流出口−５−を塞ぐだけでなく、（図に示したが、）風呂や洗面所の水の栓のように、テーパーをつければ、より強固な、水密性を得られる。
本考案の材料としては、強度的にも経済的にも、合成樹脂が好ましいと思われるが水密保持板−３−の弾力性や復元性については、その材料の性質を期待するものである。
固定端−８−によって、蓋−２−に水密保持板−３−を固定すれば、取り付け位置の確定も容易だし、空気取り入れ穴−６−や栓−４−にたいして水密保持板−３−が、弾力性を発揮できる。
液体を飲む者は、栓−４−を覆うように、容器−１−に設けられた、蓋−２−に口を付け、口の（上部の歯や舌等の）部品によって、栓−４−を押し下げる。斜めにした容器−１−の、栓−４−の効果のなくなった液体流出口−５−から、液体が流れ出す。
上記によって、飲み物を飲む者は、液体を得ることが出来るが、液体を飲まないときは、気圧を調節する為の空気取り入れ穴−６−があまりにも小さい為に、容器−１−が転倒しても、中にある液体はこぼれない。
図のように水密保持板−３−によって、空気取り入れ穴−６−を塞いでおけば万全である。また、空気取り入れ穴−６−の塞ぎ方は上記の方法が考えられるが、水密保持板−３−の、空気取り入れ穴−６−に対応する所を筒状にしてそれを包み込む、もしくは棒状にしてそれを詰まらせるように施せば、又、水密保持板−３−にテーパーをつけるなど、力の要らない状態にして、液体流出口−５−を塞ぐのに、力的に負担にならずに、密閉性を確保できる。
本考案は、長時間栓を閉めておくことが目的ではないので、アルミや鉄の缶のように、プルトップやプルタブ等によって永久的に栓をする用途はしない。
【考案の効果】
【０００５】  ファストフード店では食べ物を注文したときに飲み物を頼む。同時に、注文をしたものが出てくるのが理想であるが、食べ物と飲み物が同時に出ると、両手が塞がれる。食べ物を食べながら、飲み物を飲むことは、至難の業に近い。まして他の荷物を持ちながら食べ物を食べ、飲み物を飲むのは、不可能に近い。いきおい、飲み物をこぼしたり、衣類を汚してしまう。安全に、食べ物や飲み物を得る為には、食べ物を食べてから、飲み物を飲まなくてはならない。逆があったにしても、大変不快なものである。本考案は、そのような不快を解消するものである。
単に不便を解消するだけでなく、ストローをさしただけのコップやコップに蓋をしただけの物等、飽き飽きしたファーストフード店内の雰囲気を変えるものである。店内を様々な老若男女が、本考案の容器を持って歩けば、その風景は一変して楽しい雰囲気をかもし出す。また外出の際にも、事務所や家庭にあっても、余計な苦痛を感じないで  飲み物を飲むことが出来る。
【考案を実施する為の最良の形態】
【０００６】  本考案は、店内で飲み物と同時に手渡されても、客に満足を与え、コップにストローをさす姿や、面白くもないコップに対して、ファッション性に富んだその姿形は、新しい雰囲気を創り出すものである。
【産業上の利用可能性】
【０００７】  本考案は飲み物の容器として、その利用価値があるものだが、それ故に、ファーストフード店の雰囲気を変えるのにも効果がある。またファッション性もありながら、忙しい家庭や行楽地、事務所などに於いてもこの容器は、重宝される。
【図面の簡単な説明】
【０００８】
【図１】本考案の側面図である。
【図２】本考案の平面図である。
【符号の説明】
【０００９】      １、容器（コップ）    ２、蓋    ３、水密保持板    ４、栓    ５、液体流出口    ６、空気取り入れ穴      ７、口の部分で押す突起      ８、固定端
【図１】
0003164841.tif 000003
【図２】
0003164841.tif 000004
【手続補正書】
【提出日】平成22年8月25日(2010.8.25)
【手続補正１】
【補正対象書類名】実用新案登録請求の範囲
【補正対象項目名】全文
【補正方法】変更
【補正の内容】
【実用新案登録請求の範囲】
【請求項１】
蓋に液体流出口と空気取り入れ穴を設け、歯や舌等の口の部品により、栓を、液体流出口から適度の力で押し離すことの出来る、突起を備えた、栓を設けた水密保持板を、液体流出口と、栓とが、平面図上、同一の位置になるように蓋に固定し、蓋を容器に取り付けた容器。
(57)【要約】      （修正有）【課題】給水タンクを植木鉢より高い位置に設置することで、植木鉢への安定した給水を行うことができ、水やり作業の軽減や悩みを解決することができる自動給水付き植木鉢カバーを提供する。【解決手段】自動給水付き植木鉢カバーは、植木鉢２を入れるためのカバー１０と上部および下部に給水タンク１，７を設置する。上部給水タンクの水を不織布の毛細現象を利用して植木鉢に与えるもので、不織布４を紐状にして片方を給水タンクに入れ、もう一方の下部不織布８を植木鉢の土に挿入することで上部給水タンクと比較して植木鉢に挿入した不織布の先端部分が低くなる効果があるために毛細管現象と重力で不織布の水が水滴として落ち始め、植木鉢へ給水し続けることができる。【選択図】図１
0003164842.tif 000002
【実用新案登録請求の範囲】
【請求項１】
自動給水付き植木鉢カバー上部の給水タンクを植木鉢より高い位置に設置することで不織布の毛細管現象と給水タンクと植木鉢の段差を利用するハイフォンの原理を働かせて給水することを特徴とする自動給水付き植木鉢カバー。
【請求項２】
植木鉢の土の中にパイプを挿入し、パイプに幅や厚さ、種類の違う不織布を入れることで植木鉢に与える水の量を調節できることを特徴とする自動給水付き植木鉢カバー。
【請求項３】
自動給水付き植木鉢カバーは底面にも給水タンクを設置することで底面給水タンクからも毛細管現象で給水することを特徴とする自動給水付き植木鉢カバー。
【考案の詳細な説明】
【技術分野】
【０００１】本発明は、植木鉢への水やり作業の労力を軽減するため、水タンクを植木鉢より高い位置に設置することにより、給水タンクと植木鉢の段差を利用、不織布の毛細管現象とサイフォンの原理により水タンクの水を動力なしで植木鉢に与えるものに関する。
【背景技術】
【０００２】ガーデニング等お花を植えて楽しむ方は増えております。
困っていることがお花への定期的な水やり作業であり、さらに旅行等、長期に家を留守にする場合はお花の水やりが悩みになっています。
これを解決するために、インテリアにもなる自動給水付き植木鉢カバーを考案した。
植木鉢の上部と下部に給水タンクを設け、給水タンクから毛細管現象を利用して植木への水やりを行うことができる。
【先行技術文献】
【特許文献】
【０００３】
【特許文献１】特許公開平６−５４６２９
【特許文献２】登録実用新案第３００９３９８号
【考案の概要】
【考案が解決しようとする課題】
【０００４】そこで本発明の自動給水付き植木鉢カバーは、給水タンクを植木鉢より高い位置に設置することで、植木鉢への安定した給水を行うことができ、水やり作業の軽減や悩みを解決することができる。
【課題を解決するための手段】
【０００５】給水タンクを植木鉢より高い位置に置くことで植木への給水を容易にすることを特徴としている。【０００６】不織布の毛細力を利用して、水滴を垂らすことで給水を行う、不織布の幅、厚さ、角度の変化で水滴の水量を調節することを特徴としている。【０００７】植木鉢の土に上面からパイプを挿入し、パイプに不織布の先端が給水タンクより低い位置になるように入れることで、サイフォンの原理も働き不織布の水も抵抗が少なく流れやすくなることを特徴としている。【０００８】自動給水付き植木鉢カバーの下部に給水タンクを設置することで、不織布の毛細管現象を利用した給水を底面からも行うことを特徴としている。
【考案の効果】
【０００９】自動給水付き植木鉢カバーを使うことで安定した水やりが可能なために、定期的な水やりの労力が軽減できる。【００１０】旅行等で不在でも自動給水のために植木にはいつも給水されるために植木を枯らす心配もなく、安心して家を空けることができる。【００１１】植木鉢カバーで植木鉢を隠すことができ、植木鉢カバーの色や形を変えるバリエーションが楽しめるなどインテリアとしても活用できる。
【図面の簡単な説明】
【００１２】
【図１】本考察の実施形態を示す自動給水付き植木鉢カバーの部分略図です。
【考案を実施するための形態】
【００１３】図１に示すように自動給水付き植木鉢カバーに２つの給水タンク（１）（７）を設ける。上下の給水タンクから不織布（４）の毛細管現象を利用してお花に水を与える。
【００１４】自動給水付き植木鉢カバーの上部に円筒形の給水タンク（１）を作り、この給水タンク（１）を植木鉢（２）より高い位置に設置することで、給水タンクの水を毛細管現象とサイフォンの原理を利用して動力無しで植木鉢（２）へ水を流し続けることが出来る。
【００１５】植木鉢（２）の上面から土の中へパイプ（３）を挿入し、パイプの中に不織布（４）を通すことで抵抗が少なく水が流れやすくなり、不織布（４）の先端を土に接地させないことで、給水タンク（１）と不織布（４）の高低差で不織布の水が水滴となり落下してお花に水を与えることが出来る。
【００１６】不織布（４）の幅、厚さ、種類により植木鉢（２）への水量を調節できる。
【００１７】植木鉢カバー（１０）に鉢置き台（５）を設け、その下部に底面に給水タンク（７）を設置することで、不織布（８）を利用して植木鉢（２）への給水を行うことが出来るほか、給水タンク（７）は植木への水やりの際に受け皿としての機能を果たす役目も有る。
【００１８】植木鉢カバー（１０）は鉢入れとしての機能の他、インテリアとしての機能もあるために円筒形とは限らず、色や形を変えることで楽しむことが出来る。
【符号の説明】
【００１９】１．上部給水タンク
２．植木鉢
３．不織布挿入パイプ
４．給水用不織布
５．植木鉢置き台
６．下部不織布入れパイプ
７．下部給水タンク
８．下部不織布
９．水
１０．植木鉢カバー
【図１】
0003164842.tif 000003
【手続補正書】
【提出日】平成22年9月21日(2010.9.21)
【手続補正１】
【補正対象書類名】実用新案登録請求の範囲
【補正対象項目名】全文
【補正方法】変更
【補正の内容】
【実用新案登録請求の範囲】
【請求項１】
自動給水付き植木鉢カバーは植木鉢を入れるためのカバーと上部および下部に給水タンクを設置し、上部給水タンクの水を不織布の毛細現象を利用して植木鉢に与えるもので、不織布を紐状にして片方を給水タンクに入れ、もう一方を植木鉢の土に挿入することで上部給水タンクと比較して植木鉢に挿入した不織布の先端部分が低くなる効果があるために毛細管現象と重力で不織布の水が水滴として落ち始めることでサイフォンの原理が働いて植木鉢へ給水し続けることを特徴とする自動給水付き植木鉢カバー。
【請求項２】
不織布の幅や厚さ、種類を変えることで水の量を調節することを特徴とする請求項１記載の自動給水付き植木鉢カバー。
【請求項３】
給水装置は上部給水タンクと不織布および不織布を入れるパイプの総称で植木鉢カバーに固定されているが、植木鉢カバーから取り外し可能にすることで植木鉢やプランターに直接的に設置することを特徴とする請求項１記載の自動給水付き植木鉢カバー。
【請求項４】
自動給水付き植木鉢カバーは底面に下部給水タンクを設置し、下部給水タンクの水を毛細管現象で植木鉢に与えるもので不織布を紐状にし、片方を給水タンクに入れ、もう一方を植木鉢の土に挿入して毛細管現象で給水することを特徴とする請求項１記載の自動給水付き植木鉢カバー。
(57)【要約】      （修正有）【課題】姿勢矯正、バストアップ、腹部の補正・ヒップアップ機能を併せ持った袖付きキャミソールを提供する。【解決手段】キャミソール本体部分がパワーネットで出来ており、補正機能部分はパワーネットの多重構造もしくは繊維の構造によって他の部分より圧がかかるようになっている。ヒップ部分は、前面より４〜１０ｃｍ長く、ヒップをすっぽり包み込む。【選択図】図１
0003164846.tif 000002
【実用新案登録請求の範囲】
【請求項１】
キャミソール本体部分（１）がパワーネットで、背中、アンダーバスト、ウエスト部分の補正機能部分はパワーネットの多重構造もしくは繊維の構造により、肩甲骨を引き寄せて姿勢矯正し、袖を付けた事で二の腕や脇の下に逃げたぜい肉をバストに戻し、流れるバストをおさえ、ヒップ部分は前面より４ｃｍ〜１０ｃｍ長くヒップをすっぽりと包み込む。
【考案の詳細な説明】
【技術分野】
【０００１】本考案は、キャミソールの応用に関するものである。
キャミソールで積極的に美容や健康商品として利用する為に考案したものである。
【背景技術】
【０００２】今までの補正下着はブラジャー、スリーインワン、ウエストニッパー、ガードルと部位ごとに種類が多々あり、併用して着用するとなると着脱がわずらわしく、コイルボーン（体を補正する金具）を使用しており、身体をきつくおさえて形を整えるので、長時間の着用や寝ている間の着用は困難である。一般的にキャミソールというと肩紐が細く肩を露出するので、腕や脇の下等の露出している部分にぜい肉が流れてしまう。
【考案の概要】
【考案が解決しようとする課題】
【０００３】本考案は、このキャミソール１枚で、いかにわずらわしさがなく簡単にボディをリメイクできるかを追求したキャミソールであり、締めるべきところは締めて、姿勢矯正、バストアップ、腹部の補正・ヒップアップまでを兼ね備えており、メッシュのパワーネット素材の為、通気性が良く、寝ている間の着用も可能で、ノーブラで寝ても胸が流れない。
【課題を解決するための手段】
【０００４】キャミソール本体部分（１）がパワーネットでできており、アンダーバスト、ウエスト、背中の締めるべきところはパワーネットの２重構造もしくは繊維の多重構造になっている。袖をつけることで、二の腕、脇の下の逃げたぜい肉をバストへ戻し、背中はクロスした２重のパワーネットが肩甲骨を引き寄せて姿勢を矯正する。またヒップの部分は前に比べると４ｃｍ〜１０ｃｍ長くなっておりお尻をすっぽり包み込む。
【考案の効果】
【０００５】▲１▼  シンプルなデザインで着用間が良く、薄いため重ね着でもアウターに響かない
▲２▼  一体型なのでトイレなどでの、着脱の不便さが解消できる。
▲２▼  デザインや加工方法が容易であるから、大量生産ができるメリットがある。
▲３▼  メッシュのパワーネット素材の為、通気性が良く、寝ている間の着用も可能で、ノーブラで寝ても胸が流れない。
【図面の簡単な説明】
【０００６】
【図１】  本考案のキャミソール、正面図である。
【図２】  本考案のキャミソール、背面図である。
【符号の説明】
【０００７】１  姿勢矯正パワーネット部分
２  バストアップ部分
３  腹部の補正部分
４  ヒップ機能部分
【図１】
0003164846.tif 000003
【図２】
0003164846.tif 000004
【手続補正書】
【提出日】平成22年10月1日(2010.10.1)
【手続補正１】
【補正対象書類名】実用新案登録請求の範囲
【補正対象項目名】請求項１
【補正方法】変更
【補正の内容】
【請求項１】
キャミソール本体部分（１）がパワーネットで出来ており、背中、アンダーバスト、ウエスト部分の補正機能部分はパワーネットの多重構造もしくは繊維の構造により、肩甲骨を引き寄せて姿勢矯正し、袖を付けた事で二の腕や脇の下に逃げたぜい肉をバストに戻し、流れるバストをおさえ、ヒップ部分は前面より４ｃｍ〜１０ｃｍ長くヒップをすっぽりと包み込む事ができる補正機能付半袖キャミソール。
(57)【要約】      （修正有）【課題】手指を汚さず、スピーディな染毛剤の塗布ができる染毛用具を提供する。【解決手段】櫛歯部とそれを設ける座部、その座部の先端から後端までの幅のパネルが座部上面部の横側に付き、さらにその座部の後端より後に先細に延出する柄部とからなり、パネルの上面で染毛剤を塗布する。【選択図】図１
0003164848.tif 000002
【実用新案登録請求の範囲】
【請求項１】
櫛歯部とそれを設ける座部、その先端から後端までの幅のパネルが座部上面部の横側に付き、さらにその座部の後端より後に先細に延出する柄部とからなり、前記パネルの上面で染毛剤を塗布することを特徴とする染毛用具。
【請求項２】
櫛歯を垂直にした状態を座部の先端側から側面を見ると、座部上面の横側に付けられるパネルの角度が櫛歯から左右いずれか４５度から１５０度間に設けられ、その長さが２ｃｍから１０ｃｍ以内の先が内巻きな染毛用具。
【考案の詳細な説明】
【技術分野】
【０００１】  この考案は、染毛技術のウイービング・スライシング技法を短時間に確実に出来る染毛用具に関する。
【背景技術】
【０００２】従来の染毛用具として、ハケ部を多段植毛状に形成した塗布用具がある。（例えば特許文献１参照）さらに工夫された染毛用コーム。また、杓文字の形をしたスピュラと呼ばれるものや、染毛用ペーパー・アルミホイルなどがある。【０００３】以下従来の染毛用具について説明する。多段植毛状の塗布具は、ハケの段差部に染毛剤を保持させ、容易かつ確実に塗布できる様に工夫されたものであり、杓文字形の染毛用具は細身部分を握り、平たい部分を使って塗布するもの。また、ペーパー・アルミホイルは透明な部分を設けて発色状態を見やすくしたものである。
【先行技術文献】
【特許文献】
【０００４】
【特許文献１】特開平１７−１１０８７０号  公報
【考案の概要】
【考案が解決しようとする課題】
【０００５】以上述べた従来の染毛用具では、各種染毛技法の時間短縮にはならない。【０００６】本考案の染毛用具は、単独での使用も出来るが、実用新案登録第３１５９６８６号のヘアカラー用コームと共に使用するために考えたものであり、両方使用することにより操作が容易になり、手指を汚さず、短時間で確実に技術が行えることを目的とするものである。
【課題を解決するための手段】
【０００７】右利き用は左手で持ち、左利きは右手で持ち使用する染色用具のため、用具の櫛歯の先を上にして、利き手でない方で柄の付け根部分を上から手の甲か上に柄先を小指方向に持つと、パネルが座部の上面から手前になる様に取り付けてあり、右利き用は櫛歯を垂直にして座部の先端側から側面を見ると、パネルが櫛歯の基部の横側から櫛歯より左に４５度から１５０度間に、好ましくは１００度から１２０度間に設けることにより塗布しやすくなる。また左利き用は、櫛歯より右に４５度から１５０度、好ましくは１００度から１２０度間である。【０００８】パネルの長さは座部の上面部より２ｃｍから１０ｃｍ、好ましくは３ｃｍから５ｃｍであり、先端を内巻きに丸めることで毛髪の引っかかりをなくす。また柄先を細くすることは、前記ヘアカラー用コームで毛髪を掬い上げると余分な毛髪がくっついてくる。それを柄先を使って取り除くためである。
【考案の効果】上述したように本考案の染毛用具は、前記ヘアカラー用コームと共に使用することで高度な染毛技術が手指を汚さず容易に行え、大幅な時間短縮を可能にした。
【図面の簡単な説明】
【０００９】
【図１】本考案、右利き用の染毛用具の右斜面図。
【図２】同用具の右側面図。
【図３】同用具の正面図。
【図４】本考案の用具の使用状態を示す説明図である。
【図５】本考案の用具の使用状態を示す説明図である。
【考案を実施するための形態】
【００１０】以下、本考案の実施の形態を図１〜図６に基づいて説明する。
【実施例】
【００１１】図１は右利き用の左手に持つ染毛用具の実施例を示す右斜面図。図２は右側面図。図３は正面図。および図４〜５は本考案の用具の使用状態を、その順に示す説明図である。【００１２】図１に示す染毛用具は、座部１と櫛歯部２とパネル部３と持ち手４と先細の柄５で構成され、パネル部３は櫛歯が垂直な状態で座部の先端側から側面を見ると、櫛歯より左に１２０度傾けて取り付けられ先端は内巻きである。【００１３】図４は、前記ヘアカラー用コームで毛束６を掬い上げ、余分な毛髪を染毛用具の先細の柄５毛髪の根元部分に横から押入れ、柄をしたに移動させ取り除く。図５は右手を手前に少し引き、分け目７による毛髪の根元部分に櫛歯部２を下から上に刺し込み、パネル部３の上で染毛用具を手前に引きながら、染毛剤をハケ８で毛先まで塗布する。
【産業上の利用可能性】
【００１４】本考案の染毛用具は、単独使用はもちろんのこと、前記ヘアカラー用コームと共に使用することにより手指を汚さず、従来の染毛時間を大幅に短縮し、高度な染毛技術が簡単に出来る様になる。
【符号の説明】
【００１５】１  座部
２  櫛歯部
３  パネル部
４  持ち手部
５  柄部
【図１】
0003164848.tif 000003
【図２】
0003164848.tif 000004
【図３】
0003164848.tif 000005
【図４】
0003164848.tif 000006
【図５】
0003164848.tif 000007
【手続補正書】
【提出日】平成22年9月20日(2010.9.20)
【手続補正１】
【補正対象書類名】実用新案登録請求の範囲
【補正対象項目名】全文
【補正方法】変更
【補正の内容】
【実用新案登録請求の範囲】
【請求項１】
櫛歯部とそれを設ける座部、その座部の先端から後端までの幅のパネルが座部上面部の横側に付き、さらにその座部の後端より後に先細に延出する柄部とからなり、前記パネルの上面で染毛剤を塗布することを特徴とする染毛用具。
【請求項２】
櫛歯を垂直にした状態を座部の先端側から側面を見ると、座部上面の横側に付けられるパネルの角度が櫛歯から左右いずれか４５度から１５０度間に設けられ、その長さが２ｃｍから１０ｃｍ以内の先が内巻きを特徴とする請求項１記載の染毛用具。
(57)【要約】      （修正有）【課題】照明笠を回転させ、それぞれの笠の動き及び影から漏れる光を見た目で楽しみ、それらを壁、天井に映し出すことにより動く絵としても楽しめ、回転盤をそれぞれ回転速度を変えることでも視覚及び影の楽しみを味わえる照明笠多重回転盤を提供する。【解決手段】基盤１にモーター２を設置し、モーターに取り付けたギヤーを回転盤５に刻まれたギヤー１０とで回転させる。噛み合わせにより正逆回転、正正回転も自由である。回転盤５の取付でそれぞれのギヤー１０の位置とキャスター４の位置調整により固定及び照明笠の重量を安定させた。【選択図】図５
0003164849.tif 000002
【実用新案登録請求の範囲】
【請求項１】
照明傘回転盤５は基盤１に取り付けたモーター２に設置したギヤー３と回転盤に刻まれたギヤー１０の組合せにより回転盤５に取付けた照明傘１４を回転速度の調節及び作動をする。
【請求項２】
照明笠回転盤５は床置き、壁付け、天井吊り下げとしても設置可能。
【考案の詳細な説明】
【考案の概要】
回転盤を多重にし、正逆回転及び速度によって重なりを楽しむ。
【考案の効果】
【０００１】照明傘１４を回転させ、それぞれの傘の動き及び影から漏れる光を見た目で楽しみ、それらを壁、天井に映し出すことにより動く絵としても楽しめ、回転盤５をそれぞれ回転速度を変えることでも視覚及び影の楽しみを味わえる。
【図面の簡単な説明】
【０００２】
【図１】基盤設置器具図
【図２】回転盤を基盤上に載せた図
【図３】回転盤設置台の上に回転盤
【図４】全体構成イメージ図
【図５】基盤設置器具位置図
【図６】基盤・回転盤断面図
【符号の説明】
【０００３】１      基盤
２      モーター
３      ギヤー
４      キャスター
５      回転盤
６      ガイドチャンネル
７      キャスターガイド
８      回転盤固定ガイドローラー
９      回転盤設置台
１０    回転盤ギヤー
１１    配線ガイド管
１２    電球保護カバー
１３    電球
１４    照明傘
【図１】
0003164849.tif 000003
【図２】
0003164849.tif 000004
【図３】
0003164849.tif 000005
【図４】
0003164849.tif 000006
【図５】
0003164849.tif 000007
【図６】
0003164849.tif 000008
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
照明傘多重回転盤は基盤１に取り付けたモーター２に設置したギヤー３と回転盤５に刻まれたギヤー１０の組合せにより正逆回転及び回転速度調節を行い取り付けた照明傘１４を作動させるように組み合せた照明傘多重回転盤。
(57)【要約】      （修正有）【課題】腰のベルトに差しやすく、握りやすく携行しやすい、長さの調節が出来るタモの柄を提供する。【解決手段】腰のベルトに、差しやすく携行しやすいように、短めの各節伸縮機能つき振り出し竿に合成樹脂又は、カーボン、グラス、金属などで成型された尻栓つきのハンドルを装着する。足場の悪い場所、狭い場所でも携行しやすく、従来品で獲りにくい大物にも、楽に届く様になる。【選択図】図２
0003164844.tif 000002
【実用新案登録請求の範囲】
【請求項１】
携行性に優れ腰のベルトに差しやすく握りやすいように成型された尻栓つきハンドルを持つ、各竿伸縮機能付きの振り出し式、タモの柄。
【考案の詳細な説明】
【技術分野】
【０００１】この考案は渓流釣り用タモの柄に関するものである。
【背景技術】
【０００２】従来渓流釣り用のタモの柄は、携行し易い様に短く出来ているが、やわらかい竿や、細糸を使用した釣り、あるいは、足場の悪い所や、急に深くなっている所で、大物が掛かった時に長さが足りず不便である。
【考案が解決しようとする課題】
【０００３】腰のベルトに差しやすく、握りやすく携行しやすい、長さの調節が出来るタモの柄。
【課題を解決するための手段】
【０００４】腰のベルトに差しやすく、握りやすく携行しやすいように、短めの各節伸縮機能つき振り出し竿に、合成樹脂又は、カーボン、グラス、金属などで成型された尻栓つきのハンドルを装着する。
【考案の効果】
【０００５】本考案は、腰のベルトに差しやすく、足場の悪い場所、狭い場所でも携行しやすく、従来品で獲りにくい大物にも、楽に届く様になる。
【図面の簡単な説明】
【０００６】
【図１】タモの柄の縮めた時の断面図である。
【図２】タモの柄の伸ばした時の側面図である。
【図３】タモの柄の縮めた時の側面図である。
【実施例】
【０００７】腰のベルトに差しやすく、握りやすく携行しやすいように、短めの各節伸縮機能つき振り出し竿に、合成樹脂又は、カーボン、グラス、金属などで成型された尻栓つきのハンドルを装着する。
【図１】
0003164844.tif 000003
【図２】
0003164844.tif 000004
【図３】
0003164844.tif 000005
【手続補正書】
【提出日】平成22年10月2日(2010.10.2)
【手続補正１】
【補正対象書類名】実用新案登録請求の範囲
【補正対象項目名】全文
【補正方法】変更
【補正の内容】
【実用新案登録請求の範囲】
【請求項１】
先端側筒状体と複数の中間筒状体と、内側が大径の手元側筒状体を直線状に接続し、伸縮可能に構成し、手元側筒状体の元端に、互いに螺着可能に構成された尻栓を螺着し、手元側筒状体の外周面先部をやや太くし、尻栓元部をやや細く、あるいは偏平に成形した振出式タモの柄。
(57)【要約】      （修正有）【課題】飲料瓶または傘と鞄を同時に持つ場合に、両手がふさがる不便さを解消するため、飲料瓶または傘と鞄を一体化させ、飲料瓶または傘のサイズに応じてしっかりとホールドでき、鞄に吊り下げた時にも安定し、かつ濡れた飲料瓶または傘が直接鞄に触れることを防ぐ傘ホルダーを提供する。【解決手段】吊り下げた飲料瓶または傘と鞄との間を、ループ状４にしたベルト１で空間を設けることで、濡れた飲料瓶または傘が鞄に触れることを防ぐ。また、このループ状ベルトにより、コンパクトな形状にすることが可能となる。また、飲料瓶または傘のサイズに対応してしっかりとホールドできるよう、飲料瓶のホールド用ベルト３にゴムを取り付け、傘のホールド用ベルト５はヒットテープによる圧着で、サイズに応じた調節を可能とする。【選択図】図１
0003164870.tif 000002
【実用新案登録請求の範囲】
【請求項１】
本物品は縦方向の広幅化学繊維製ベルトとそれに直交して縫いつけた横手方向の細幅化学繊維製ベルトから構成しており、伸縮性を持ったゴムを縫いつけた２本の横手方向の細幅化学繊維製ベルトを用いて飲料瓶をホールド、両端部にヒットテープを縫いつけた横手方向の細幅化学繊維製ベルトを用いて傘をホールドすることを特徴とする、鞄に飲料瓶または傘をぶら下げる傘ホルダー。
【請求項２】
横手方向の細幅化学繊維製ベルトに直交して縫いつけた縦方向の広幅化学繊維製ベルトの下部をループ状に縫いつけることで、ホールドした飲料瓶または傘と鞄との間に空間をつくり、濡れた飲料瓶または傘が直接鞄に当たることを防ぐことを特徴とする、請求項１記載の鞄に飲料瓶または傘をぶら下げる傘ホルダー。
【請求項３】
鞄への装着は、縦方向の広幅化学繊維製ベルトの上部に巻き込んで取り付けた樹脂製バックル付きの細幅化学繊維製ベルトを鞄の持ち手につり下げることで、飲料瓶または傘と鞄を一体化させることを特徴とする、請求項１または２記載の鞄に飲料瓶または傘をぶら下げる傘ホルダー。
【考案の詳細な説明】
【技術分野】
【０００１】  本考案は、飲料瓶または傘と鞄を同時に持つ場合に、両手がふさがる不便さを解消するための器具である。
【背景技術】
【０００２】  従来のボトルホルダーには底のない構造を特徴とするものがある（例えば、特許文献１）。
また、底のある袋状の構造を特徴とするものがある（例えば、特許文献２）。
【先行技術文献】
【特許文献】
【０００３】
【特許文献１】特許公開２００１−５８６４４
【特許文献２】特許公開平１１−２２７７７２
【考案の概要】
【考案が解決しようとする課題】
【０００４】飲料瓶の底面の直径は一定ではないため、直径の異なる飲料瓶でもしっかりとホールドできるようにする。
飲料瓶が抜け落ちないようにする。
飲料瓶だけでなく、傘もしっかりとホールドできるようにする。
【課題を解決するための手段】
【０００５】  飲料瓶をホールドする化学繊維製ベルトに伸縮製を持つ幅のあるゴムを取り付けることで、本考案を直径の異なる飲料瓶でもしっかりホールドすることが可能となる。
樹脂製バックル付きの化学繊維製ベルトを縦方向に取り付けることで、飲料瓶の抜け落ちを防ぐことが可能となる。
飲料瓶のかわりに傘をホールドする時には、傘のサイズに対応してしっかりとホールドできるよう、傘のホールド用ベルトはヒットテープによる圧着で、サイズに応じた調節が可能となる。
【考案の効果】
【０００６】  本体部材を厚み・幅のある耐久性に優れた化学繊維製ベルトを使用したことで、飲料瓶または傘の吊り下がりが不安定になることを解消できた。
飲料瓶のホールド用ベルトはゴムを取り付け伸縮性を持たせることで、飲料瓶のサイズに合わせてしっかりとホールドできるようになった。
傘のホールド用ベルトはヒットテープによる圧着とすることで、傘のサイズに合わせてしっかりとホールドできるようになった。
【図面の簡単な説明】
【０００７】
【図１】本考案の鞄に飲料瓶または傘をぶら下げるホルダーを示す
【符号の説明】
【０００８】  １  本体ベルト
２  吊り下げ用樹脂製バックル付きベルト
３  ゴム付き飲料瓶ホールド用ベルト
４  ループ部分
５  ヒットテープ付き傘ホールド用ベルト
６  延長用樹脂製バックル付きベルト
７  底支持用樹脂製バックル付きベルト
【図１】
0003164870.tif 000003
(57)【要約】      （修正有）【課題】環境にやさしい古新聞のリサイクル材を原料とし、刺激臭がなく、持っても手を汚さず、適量を折りとって燃料の僅かな隙間にも差し入れて使いやすい着火材を提供する。【解決手段】古新聞のリサイクル材を凹凸の筋をもつ板状に成型し、表面にパラフィンの膜を薄く付着させる。【選択図】図２
0003164865.tif 000002
【実用新案登録請求の範囲】
【請求項１】
古新聞のリサイクル材を凹凸の筋をもつ板状に成型し、表面にパラフィンの膜を薄く付着させたことを特徴とする着火材。
【考案の詳細な説明】
【技術分野】
【０００１】  本考案は屋外での火起こしを補助する着火材に関するものである。
【背景技術】
【０００２】  屋外でのたき火やバーベキューで使用する薪や木炭などの燃料は慣れていないと火を起こすのが難しく、それを容易にするための補助具として火がつきやすく且つ一定時間炎を出し続ける着火材がつくられ、使用されている。【０００３】  従来の着火材にはメタノールやメタアルデヒドなどを主原料とした薬物系のものと木質に石油系燃料を滲みこませた固形のものがある。何れも使用する薬物に毒性がある点や揮発性で劣化しやすい点、アルコール系燃料の場合は炎が見えにくく引火爆発事故につながりやすい点などが指摘されている。【０００４】  木質固形の着火材は揮発性燃料を滲みこませたものが主流で、直接手で扱う際に手の汚れや刺激臭が気になるという指摘もある（特許文献１）。【０００５】  また、木工端材やトイレットペーパー製造過程で出る端材にパラフィンワックスを滲みこませたものも存在するが、薪や木炭などの燃料の隙間に差し入れて使うには、そのままでは形が大きすぎ、適当な大きさにカットするにもカッターやナイフなどの道具を必要とするなど手間がかかるため不向きである。（特許文献２および３）。
【先行技術文献】
【０００６】
【特許文献１】特開２００３−０２０４９１号公報
【特許文献２】登録実用新案第３１５２３３１号公報
【特許文献３】登録実用新案第３１３２９８５号公報
【考案の概要】
【考案が解決しようとする課題】
【０００７】  本考案は、環境にやさしい古新聞のリサイクル材を原料とし、刺激臭がなく、持っても手を汚さず、適量を折りとって燃料の僅かな隙間にも差し入れて使いやすい着火材を提供することを目的とする。
【課題を解決するための手段】
【０００８】  本考案の着火材構造は、古新聞を水に溶かしたものを適当な大きさに成型し、乾燥させてから溶かしたパラフィンに浸して全体をパラフィンの膜でコートすることにより得られるものである。【０００９】  古新聞のリサイクル材を成型する際に、型枠と簾を用いて紙漉きの要領で厚さ５ｍｍ程度の板を作る。その際すだれのような目の粗い簾を用いることにより、板に適当な凹凸の筋ができ、完成した際に適量を折りとって使うのに適した形状となる。
【考案の効果】
【００１０】  主原料に古新聞を用いることでリサイクルの促進につながる。また、紙板を漉く際にできる凹凸の筋により適量を簡単かつきれいに折りとることができ（図２）、積み重ねた薪や木炭などの燃料の隙間に差し入れて使用するには適している。【００１１】  パラフィンは常温で固体であり、開封後も揮発による品質の劣化がないことに加え、刺激臭がないため手にもっても不快な汚れが残らない。【００１２】  こうした構造の着火材は火持ちがよいことも特徴のひとつであり、約３０ｍｍ×９０ｍｍ×５ｍｍの小片で約５分間炎が持続する。
【考案を実施するための形態】
【００１３】  古新聞をシュレッダーなどで裁断し、水を加えてミキサーにかけることで紙の繊維を含む半液状の材料が得られる。
【００１４】  これを簾を敷いた長方形の型枠に入れて漉き、厚さが５ｍｍ程度になるように水分を抜きながら成型する。この時、簾の目の形が紙に写され、表面に凹凸の筋をつくる。（図１）
【００１５】  型から抜いて完全に乾燥させ、パラフィンを熱し液状にしたものに浸して全体にパラフィンの膜が均一に覆うようにし（図３の２）、引き上げてパラフィンが固まるまで触らずに放置する。
【図面の簡単な説明】
【００１６】
【図１】（ａ）、（ｂ）は、それぞれ本願考案構造の正面、側面斜視図である。
【図２】本願考案構造の凹凸を利用して適量を折りとった時のイメージ図である。
【図３】上記図２の断面を正面から見たときのイメージ図である。
【符号の説明】
【００１７】１・・・・・古新聞をリサイクルした紙質部
２・・・・・表面全体を覆うパラフィンの膜
【図１】
0003164865.tif 000003
【図２】
0003164865.tif 000004
【図３】
0003164865.tif 000005